(57)【要約】【課題】【解決手段】本発明は電子支払システム及びリモートまたは近距離に基づく決済方法に関し、当該システムはリモート決済サブシステムと近距離決済サブシステムを含み、これらは支払いカード、支払い端末、受取カードと受取端末を含み、リモート決済サブシステムはさらに決済サーバーと受取サーバーを含む。リモート決済方法では、バインディングリモート決済口座、決済端末、決済カードと決済パスワードでリモート決済を実行し、バインディングリモート受取口座、受取端末と受取カードでリモート決済受取を実行し、受取サーバーは決済端末を通じて、支払い金額と決済パスワードを受信する。近距離決済方法において、バインディング近距離決済口座、決済端末と決済カードで近距離決済支払いを実行し、バインディング近距離受取口座、受取端末と受取カードで近距離決済受取を実行し、また、決済端末の支払い情報と決済カードの支払い情報は互いにバックアップし、受取端末の受取情報と受取カードの受取情報は互いにバックアップされる。
2016527632.tif 000002
【特許請求の範囲】
【請求項１】
それぞれ独自したリモート決済サブシステムと近距離決済サブシステムを含む電子支払システムであって、
リモート決済サブシステムは、
決済カードと、近距離通信ＮＦＣを通じて決済カードに接続している決済端末と、移動通信ネットを通じて決済端末に接続している決済サーバーと、データ通信ネットを通じて決済サーバーに接続している受取サーバーと、移動通信ネットを通じて受取サーバーに接続している受取端末とＮＦＣを通じて受取端末に接続している受取カードと、を含み、
決済端末はＮＦＣを通じて受取端末に接続され、
近距離決済サブシステムは、
決済カードと、ＮＦＣを通じて決済カードに接続している決済端末と、ＮＦＣを通じて決済端末に接続している受取端末と、ＮＦＣを通じて受取端末に接続している受取カードとを含む、
ことを特徴とする電子支払システム。
【請求項２】
決済カードは、ＮＦＣを通じて決済端末に接続し、決済端末と双方認証を実行し、決済端末を通じて決済サーバーと双方向認証を実行し、
決済端末は、ＮＦＣを通じて受取端末と決済カードに接続し、移動通信ネットを通じて決済サーバーに接続し、読み取り専用形式で保存されている決済端末システムソフトウェアと決済端末リモート支払いアプリソフトウェアを読み取って稼働し、決済カードと決済サーバーの双方向認証を実行し、受取端末配分されたパスワードに基づいて双方向認証を実行し、決済端末に入力した決済額と決済サーバー決済パスワードを決済サーバーに送信し、
決済サーバーは、データ通信ネットを通じて受取サーバーに接続し、移動通信ネットを通じて決済端末に接続し、決済端末の双方向認証を実行し、決済端末を通じて決済カードと双方向認証を実行し、受取サーバーと双方向認証及びパスワード認証を実行し、認証で取得したパスワードを決済端末に配分し、決済端末を通じて決済額と決済パスワードを決済端末に入力し、決済端末を通じて決済額と決済パスワードを受信し、決済額に等しい資金を、決済サーバー内の決済端末に対応するリモート決済口座から、受取サーバー内の受取端末に対応するリモート受取口座へ振り込み、
受取カードは、ＮＦＣを通じて受取端末に接続し、受取端末と双方向認証を実行し、受取端末を通じて受取サーバーと双方向認証を実行し、
受取端末は、移動通信ネットを通じて受取サーバーに接続し、ＮＦＣを通じてそれぞれ決済端末と受取カードに接続し、読み取り専用形式で保存されている受取端末システムソフトウェアと受取端末リモート支払いアプリソフトウェアを読み取って稼働し、受取カードと受取サーバーは双方向認証を実行し、配分されたパスワードに基づいて双方向認証決済端末は配分したパスワードに基づいた双方向認証を実行し、
受取サーバーは移動通信ネットを通じて受取端末に接続し、データ通信ネットを通じて決済サーバーに接続し、受取端末と双方向認証を実行し、受取端末と受取カードを通じて双方向認証を実行し、決済サーバーとの間で双方向認証とパスワード認証を実行し、認証で取得したパスワードを受取端末に配分する、
ことを特徴とする請求項１に記載の電子支払システム。
【請求項３】
近距離決済サブシステムにおいて、
決済カードは、ＮＦＣを通じて決済端末に接続し、決済端末と双方向認証を実行し、支払残額Ａ１と決済端末が申請する決済額Ｐにより、Ａ１＝Ａ１−Ｐを計算し、支払い明細Ｒ１と新たな支払い残額Ａ１を保存するとともに、決済端末の近距離支払いを承認し、決済端末の近距離支払い失敗通知を受信した後に、Ａ１＝Ａ１＋Ｐを計算するとともに、支払い明細Ｒ１と新たな支払い残額Ａ１を保存し、保存している支払い明細Ｒ１と支払残額Ａ１を決済端末に保存している支払い明細Ｒ１’と支払残額Ａ１’のバックアップデータとし、
決済端末は、ＮＦＣを通じて、それぞれ決済カードと受取端末に接続し、読み取り専用形式で保存されている決済端末システムソフトウェアと決済端末近距離支払いアプリソフトウェアを読み取って稼働し、入力された決済額Ｐを受信した後、決済カードへ近距離支払いを申請し、決済額Ｐを決済カードに送信し、決済カードは、決済端末の近距離支払いを承認した後、受取端末と双方向の認証を実行し、当該双方向認証が成功する場合は、決済端末は決済額Ｐを受取端末に送信し、そうではない場合は、決済端末は決済カード近距離支払い失敗を通知し、限度額をＰとする電子マネーを決済端末の近距離決済口座から受取端末の近距離の受取口座に振り込み、支払残額Ａ１’と決済額Ｐにより、Ａ１’＝Ａ１’−Ｐを計算し、支払い明細Ｒ１’と新たな支払い残額Ａ１’を保存し、保存している支払い明細Ｒ１’と支払残額Ａ１’を決済カードに保存している支払い明細Ｒ１と支払残額Ａ１のバックアップデータとし、
受取カードは、ＮＦＣを通じて受取端末に接続し、受取端末が送信した近距離支払いの受取申請と決済額Ｐを受信した後、受取端末と双方向認証を実行し、受取残額Ａ２と決済額ＰによりＡ２＝Ａ２＋Ｐを計算し、受取明細Ｒ２と新たな受取残額Ａ２を保存し、受取端末の近距離が受取の支払いを承認し、保存している受取明細Ｒ２と受取残額Ａ２を受取端末に保存している受取明細Ｒ２’と受取残額Ａ２’のバックアップデータとし、
受取端末は、ＮＦＣを通じて受取カードと決済端末に接続し、読み取り専用形式で保存されている受取端末システムソフトウェアと受取端末近距離支払いアプリソフトウェアを読み取って稼働し、決済端末が送信した決済額Ｐを受信した後、決済額Ｐの確認を提示し、確認を受信した後、受取カードへ近距離支払い受取を申請し、決済額Ｐを受取カードに送信し、受取残額Ａ２’と決済額Ｐにより、Ａ２’＝Ａ２’＋Ｐを計算し、受取明細Ｒ２’と新たな受取残額Ａ２’を保存し、保存している受取明細Ｒ２’と受取残額Ａ２’を受取カードに保存している受取明細Ｒ２と受取残額Ａ２のバックアップデータとする、
ことを特徴とする請求項１に記載の電子支払システム。
【請求項４】
決済端末は移動端末であり、
受取端末は移動端末またはＰＯＳ端末であり、
移動端末は携帯電話、ＰＤＡ、タブレットコンピュータまたはノートパソコンを含み、
受取端末はＰＯＳ端末が採用される場合には、電子支払システムには受取カードが含まれない、
ことを特徴とする請求項１乃至請求項３のいずれか一項に記載の電子支払システム。
【請求項５】
請求項２に記載の電子支払システムのリモート決済方法であって、
ステップ２０１：決済端末は起動後に、読み取り専用形式で保存されている決済端末システムソフトウェアと決済端末リモート支払いアプリソフトウェアを読み取って稼働する；
ステップ２０２：決済端末は決済カード及び決済サーバーと双方向認証を実行し、決済サーバーは決済端末を通じて、決済カードと双方向認証を実行する；
ステップ２０３：受取端末は起動後に、読み取り専用形式で保存されている受取端末システムソフトウェアと受取端末リモート支払いアプリソフトウェアを読み取って稼働する；
ステップ２０４：受取端末は受取カード及び受取サーバーと双方向認証を実行し、受取サーバーは受取端末与を通じて、受取カードと双方向認証を実行する；
ステップ２０５：決済端末および／または決済カードが受取端末に読み取られ、受取端末は決済端末および／または決済カードの決済ＩＤを読み込み、決済ＩＤを受取サーバーに送信し、受取サーバーは決済ＩＤを決済サーバーに送信する；
ステップ２０６：決済サーバーと受取サーバーは双方向認証とパスワード認証を実行し、決済サーバーは認証で取得したパスワードを決済端末に配分し、受取サーバーは認証で取得したパスワードを受取端末に配分し、決済端末と受取端末配分されたパスワードに基づいて双方向認証を実行する；
ステップ２０７：決済サーバーは決済端末を通じて、決済額と決済パスワードの決済端末への入力を提示し、決済端末を通じて決済額と決済パスワードを受信する；
ステップ２０８：決済サーバーは正しい決済パスワードの受信を確認した後、決済額に等しい資金を決済サーバーに決済端末に対応するリモート決済口座から受取サーバーに受取端末に対応するリモート受取口座に振り込む；
を含む、電子支払システムのリモート決済方法。
【請求項６】
前記ステップ２０１において、決済端末は起動後に、読み取り専用形式で保存されている決済端末システムソフトウェアと決済端末リモート支払いアプリソフトウェアを読み取って稼働し、
前記ステップ２０３において、受取端末はは起動後に、読み取り専用形式で保存されている受取端末システムソフトウェアと受取端末リモート支払いアプリソフトウェアを読み取って稼働する、
ことを特徴とする請求項５に記載の電子支払システムのリモート決済方法。
【請求項７】
前記ステップ２０２において、決済カードと決済端末は双方向認証を実行し、決済端末を通じて決済サーバーと双方向認証を実行し、
前記ステップ２０４において、受取カードと受取端末は双方向認証を実行し、受取端末を通じて受取サーバーと双方向認証を実行し、
前記ステップ２０６において、決済端末と受取端末は決済サーバーと受取サーバーが配分されたパスワードに基づいて双方向認証を実行する、
ことを特徴とする請求項５に記載の電子支払システムのリモート決済方法。
【請求項８】
前記ステップ２０７において、決済サーバーは決済端末を通じてリモート支払確認情報を受信するものであり、リモート支払確認情報には、決済パスワード、ボタン確認操作に対応する双音多週波信号、決済端末のリモート支払確認情報、決済カードのリモート支払確認情報および／または生物的特徴が含まれる、
ことを特徴とする請求項５に記載の電子支払システムのリモート決済方法。
【請求項９】
各ステップに述べたリモート決済口座、決済端末、決済カード、リモート支払確認情報が、互いにバインディングされ、リモート受取口座、受取端末、受取カードが互いにバインディングされる、
ことを特徴とする請求項５又は請求項８に記載の電子支払システムのリモート決済方法。
【請求項１０】
各ステップでは、電子支払い情報が生成されるとともに、それが二次元コードを通じて伝えられるものであり、電子支払い情報は決済カード、受取カード、決済端末および／または受取端末のＩＤを含み、さらに、シリアルナンバー、デジタル証明書、決済額、領収書、ショッピングリストおよび／または消費ポイントも含まれ、シリアルナンバーは決済サーバーの身分情報または受取サーバーの身分情報を含み、リモート支払いの起動に用いられる、
ことを特徴とする請求項５に記載の電子支払システムのリモート決済方法。
【請求項１１】
請求項３に記載の電子支払システムの近距離決済方法であって、
ステップ４０１：受取端末は起動後に、読み取り専用形式で保存されている受取端末システムソフトウェアと受取端末リモート支払いアプリソフトウェアを読み取って稼働する；
ステップ４０２：決済端末は起動後に、読み取り専用形式で保存されている決済端末システムソフトウェアと決済端末近距離支払いアプリソフトウェアを読み取って稼働する；
ステップ４０３：決済額Ｐを決済端末に入力する；
ステップ４０４：決済端末は決済カードへ近距離支払いを申請し、決済額Ｐを決済カードに送信する；
ステップ４０５：決済カードと決済端末は双方向認証を実行する；
ステップ４０６：決済カードは支払残額Ａ１と決済額Ｐにより、Ａ１＝Ａ１−Ｐを計算し、支払い明細Ｒ１と新たな支払い残額Ａ１を保存する；
ステップ４０７：決済カードは決済端末の近距離支払いを承認する；
ステップ４０８：決済端末と受取端末は双方向認証を実行する；
ステップ４０９：決済端末は受取端末との双方向認証が成功するかを判断し、成功する場合は、ステップ４１２に進み、失敗する場合は、ステップ４１０に進む；
ステップ４１０：決済端末は決済カードに近距離支払いの失敗を通知する；
ステップ４１１：決済カードは支払残額Ａ１と決済額Ｐにより、Ａ１＝Ａ１＋Ｐを計算し、支払い明細Ｒ１と新たな支払い残額Ａ１を保存して、全てのフローを終了する；
ステップ４１２：決済端末は決済額Ｐを受取端末に送信する；
ステップ４１３：受取端末は決済額Ｐを確認し、確認を受信してから受取カードへ近距離支払いを申請し、決済額Ｐを受取カードに送信する；
ステップ４１４：受取カードと受取端末は双方向認証を実行する；
ステップ４１５：受取カードは受取残額Ａ２と決済額Ｐにより、Ａ２＝Ａ２＋Ｐを計算し、受取明細Ｒ２と新たな受取残額Ａ２を保存する；
ステップ４１６：受取カードは受取端末の近距離支払いを承認する；
ステップ４１７：決済端末は限度額をＰとする電子マネーを決済端末の近距離決済口座から受取端末の近距離の口座に振り込む；
ステップ４１８：決済端末は支払残額Ａ１’と決済額Ｐにより、Ａ１’＝Ａ１’−Ｐを計算し、支払い明細Ｒ１’と新たな支払い残額Ａ１’を保存し、受取端末は受取残額Ａ２’と決済額Ｐにより、Ａ２’＝Ａ２’＋Ｐを計算し、受取明細Ｒ２’と新たな受取残額Ａ２’を保存する、
ことを特徴とする近距離決済方法。
【請求項１２】
前記ステップ４０１において、受取端末は起動後に、読み取り専用形式で保存されている受取端末システムソフトウェアと受取端末リモート支払いアプリソフトウェアを読み取って稼働し、
前記ステップ４０２において、決済端末は起動後に、読み取り専用形式で保存されている決済端末システムソフトウェアと決済端末近距離支払いアプリソフトウェアを読み取って稼働する、
ことを特徴とする請求項１１に記載の近距離決済方法。
【請求項１３】
前記ステップ４０５において、決済カードと決済端末は双方向認証を実行し、
前記ステップ４１４において、受取カードと受取端末は双方向認証を実行する、
ことを特徴とする請求項１１に記載の近距離決済方法。
【請求項１４】
各ステップにおいて、近距離の決済口座、決済端末、決済カードは互いにバインディングされ、近距離の受取口座、受取端末、受取カードは互いにバインディングされる、
ことを特徴とする請求項１１に記載の近距離決済方法。
【請求項１５】
各ステップで電子支払い情報が生成されるとともに、それが二次元コードを通じて伝えられ、電子支払い情報は近距離支払い協議、デジタル証明書、決済額、領収書、ショッピングリストおよび／または消費ポイントを含む、
ことを特徴とする請求項１１に記載の近距離決済方法。
【請求項１６】
決済カードに保存している支払い明細Ｒ１と支払残額Ａ１は、決済端末に保存している支払い明細Ｒ１’と支払残額Ａ１’と互いにバックアップデータであり、
受取カードに保存している受取明細Ｒ２と受取残額Ａ２は、受取端末に保存している受取明細Ｒ２’と受取残額Ａ２’と互いにバックアップデータである、  ことを特徴とする請求項１１に記載の近距離決済方法。 
【発明の詳細な説明】
【技術分野】
【０００１】
本発明は電子決済技術分野に関し、特に電子支払システム及びリモートまたは近距離の決済方法に関する。
【背景技術】
【０００２】
電子決済にはリモート決済や近距離決済などがあり、リモート決済は携帯電話決済、銀行カード決済、プリペイドカード受理なども含む。
【０００３】
リモート決済はオンライン環境に応用され、決済パスワードをＰＯＳ端末に入力する必要があり、安全性に不足する。
【０００４】
近距離決済はオフライン環境に応用され、近距離決済に応用されるＩＣカードまたは携帯電話が紛失または損壊した場合には、ＩＣカードまたは携帯電話に保存される電子マネーが損失を受けやすい。
【０００５】
そこで、本発明は上記の決済の安全の問題に対し、電子支払システム及びリモートまたは近距離に基づく決済方法を提案する。
【発明の概要】
【発明が解決しようとする課題】
【０００６】
本発明が解決した技術課題は、電子支払システム及びリモートまたは近距離に基づく決済方法を提供することであり、バインディング決済口座、決済端末、決済カードと決済パスワードに使用され、さらに、バインディング受取口座、受取端末、受取カードにて電子決済を実行し、電子決済の安全性を向上させる。
【０００７】
本発明は上記の技術課題を解決するための技術案は下記のとおりである。
電子支払システムであって、それぞれ独自したリモート決済サブシステムと近距離決済サブシステムを含み、
リモート決済サブシステムは、
決済カードと、近距離通信ＮＦＣを通じて決済カードに接続している決済端末と、移動通信ネットを通じて決済端末に接続する決済サーバーと、データ通信ネットを通じて決済サーバーに接続する受取サーバーと、移動通信ネットを通じて受取サーバーに接続する受取端末とＮＦＣを通じて受取端末に接続する受取カードとを含み、
決済端末はＮＦＣを通じて受取端末に接続され、
近距離決済サブシステムは、
決済カードと、ＮＦＣを通じて決済カードに接続する決済端末と、ＮＦＣを通じて決済端末に接続する受取端末と、ＮＦＣを通じて受取端末に接続する受取カードを含む。
【０００８】
リモート決済サブシステムにおいて、
決済カードは、ＮＦＣを通じて決済端末に接続し、決済端末と双方向認証を実行し、決済端末を通じて決済サーバーと双方向認証を実行し、
決済端末は、ＮＦＣを通じて受取端末と決済カードに接続し、移動通信ネットを通じて決済サーバーに接続し、読み取り専用形式で保存されている決済端末システムソフトウェアと決済端末リモート支払いアプリソフトウェアを読み取って稼働し、決済カード及び決済サーバーと双方向認証を実行し、受取端末が配分されたパスワードに基づいて双方向認証を実行し、決済端末に入力した決済額と決済パスワードの決済サーバーへの送信に使用され、
決済サーバーは、データ通信ネットを通じて受取サーバーに接続し、移動通信ネットを通じて決済端末に接続し、決済端末と双方向認証を実行し、決済端末を通じて決済カードと双方向認証を実行し、受取サーバーと双方向認証とパスワード認証を実行し、認証で取得したパスワードを決済端末に配分し、決済端末を通じて決済額と決済パスワードを決済端末に送信し、決済端末を通じて決済額と決済パスワードを受信し、決済サーバー決済額に等しい資金を、決済サーバー内の決済端末に対応するリモート決済口座から、受取サーバー内の受取端末に対応するリモート受取口座へ振り込み、
受取カードは、ＮＦＣを通じて受取端末に接続し、受取端末と双方向認証を実行し、受取端末を通じて受取サーバーと双方向認証を実行し、
受取端末は、移動通信ネットを通じて受取サーバーに接続し、ＮＦＣを通じて決済端末と受取カードに接続し、読み取り専用形式で保存されている受取端末システムソフトウェアと受取端末リモート支払いアプリソフトウェアを読み取って稼働し、受取カードと受取サーバーは双方向認証を実行し、決済端末は配分したパスワードに基づいた双方向認証を実行し、
受取サーバーは、移動通信ネットを通じて受取端末に接続し、データ通信ネットを通じて決済サーバーに接続し、受取端末と双方向認証を実行し、受取端末と受取カードを通じて双方向認証を実行し、決済サーバーとの間で双方向認証とパスワード認証を実行し、認証で取得したパスワードを受取端末に配分する。
【０００９】
近距離決済サブシステムにおいて、
決済カードは、ＮＦＣを通じて決済端末に接続され、決済端末と双方向認証が実行され、支払残額Ａ１と決済端末が申請した決済額Ｐにより、Ａ１＝Ａ１−Ｐを計算し、支払い明細Ｒ１と新たな支払い残額Ａ１を保存するとともに、決済端末近距離の決済を承認し、決済端末の近距離支払い失敗の通知を受信した後に、Ａ１＝Ａ１＋Ｐを計算するとともに、支払い明細Ｒ１と新たな支払い残額Ａ１を保存し、保存している支払い明細Ｒ１と支払残額Ａ１を決済端末に保存している支払い明細Ｒ１’と支払残額Ａ１’のバックアップデータとし、
決済端末は、ＮＦＣを通じて決済カードと受取端末に接続し、読み取り専用形式で保存されている決済端末システムソフトウェアと決済端末近距離決済アプリソフトウェアを読み取って稼働し、入力された決済額Ｐを受信した後、決済カードへ近距離決済を申請し、決済額Ｐを決済カードに送信し、決済カードは決済端末の近距離支払いを承認した後、受取端末と双方向認証を実行し、当該双方向認証が成功する場合は、決済端末は決済額Ｐを受取端末に送信する、そうではない場合は、決済端末は決済カードに近距離支払いの失敗を通知し、限度額をＰとする電子マネーを決済端末の近距離決済口座から受取端末の近距離の受取口座に振り込み、支払残額Ａ１’と決済額Ｐにより、Ａ１’＝Ａ１’−Ｐを計算し、支払い明細Ｒ１’と新たな支払い残額Ａ１’を保存し、保存している支払い明細Ｒ１’と支払残額Ａ１’を決済カードに保存している支払い明細Ｒ１と支払残額Ａ１のバックアップデータとし、
受取カードは、ＮＦＣを通じて受取端末に接続し、受取端末が送信した近距離決済の受取申請と決済額Ｐを受信した後、受取端末と双方向認証を実行し、受取残額Ａ２と決済額ＰによりＡ２＝Ａ２＋Ｐを計算し、受取明細Ｒ２と新たな受取残額Ａ２を保存し、受取端末近距離の決済を承認し、保存している受取明細Ｒ２と受取残額Ａ２を受取端末に保存している受取明細Ｒ２’と受取残額Ａ２’のバックアップデータとし、
受取端末は、ＮＦＣを通じて受取カードと決済端末に接続し、読み取り専用形式で保存されている受取端末システムソフトウェアと受取端末近距離決済アプリソフトウェアを読み取って稼働し、決済端末が送信した決済額Ｐを受信した後、決済額Ｐの確認を提示し、確認を受信してから受取カードへ近距離支払いを申請し、決済額Ｐを受取カードに送信し、受取残額Ａ２’と決済額Ｐにより、Ａ２’＝Ａ２’＋Ｐを計算し、受取明細Ｒ２’と新たな受取残額Ａ２’を保存し、保存している受取明細Ｒ２’と受取残額Ａ２’を受取カードに保存している受取明細Ｒ２と受取残額Ａ２のバックアップデータとする。
【００１０】
上記の技術案を基礎として、電子支払システムをさらに下記のように改善することができる。
また、決済端末は移動端末であり、受取端末は移動端末またはＰＯＳ端末であり、移動端末は携帯電話、ＰＤＡ、タブレットコンピュータまたはノートパソコンを含み、受取端末はＰＯＳ端末が採用される場合には、電子支払システムには受取カードが含まれない。
【００１１】
また、決済端末と受取端末は、読み取り専用のソフトウェアを保存するＭＡＳＫ  ＲＯＭ、ＰＲＯＭ、ＥＰＲＯＭ、ＯＴＰ  ＲＯＭ、ＥＥＰＲＯＭまたはＦｌａｓｈ  ＲＯＭにて構成され、ＲＯＭのキャリヤーは、Ｆｌａｓｈ  Ｍｅｍｏｒｙ、ＳＤカード、Ｍｉｃｏｒ  ＳＤカード、または、ＳＩＭカードを含む。
【００１２】
また、決済カードと受取カードがＩＣカードである場合には、決済カードと受取カードは磁気カードを使用でき、磁気カードはカードナンバーの提供のみに使われる。
【００１３】
また、決済端末と決済サーバー、受取端末と受取サーバーは言語、メッセージまたはデータの方式で通信され、データ通信ネットにはＷＡＮ、ＭＡＮ、ＬＡＮが含まれる。
【００１４】
上記のリモート決済サブシステムに対応し、本発明の技術案は下記のステップを含むリモート決済方法を含む。
ステップ２０１：決済端末は起動後に、読み取り専用形式で保存されている決済端末システムソフトウェアと決済端末リモート支払いアプリソフトウェアを読み取って稼働する；
ステップ２０２：決済端末は決済カード及び決済サーバーと双方向認証を実行し、決済サーバーは決済端末を通じて、決済カードと双方向認証を実行する；
ステップ２０３：受取端末は起動後に、読み取り専用形式で保存されている受取端末システムソフトウェアと受取端末リモート支払いアプリソフトウェアを読み取って稼働する；
ステップ２０４：受取端末は受取カード及び受取サーバーと双方向認証を実行し、受取サーバーは受取端末与を通じて、受取カードと双方向認証を実行する；
ステップ２０５：決済端末および／または決済カードが受取端末に読み取られ、受取端末は決済端末および／または決済カードの決済ＩＤを読み込み、決済ＩＤを受取サーバーに送信し、受取サーバーは決済ＩＤを決済サーバーに送信する；
ステップ２０６：決済サーバーと受取サーバーは双方向認証とパスワード認証を実行し、決済サーバーは認証で取得したパスワードを決済端末に配分し、受取サーバーは認証で取得したパスワードを受取端末に配分し、決済端末と受取端末配分されたパスワードに基づいて双方向認証を実行する；
ステップ２０７：決済サーバーは決済端末を通じて、決済額と決済パスワードの決済端末への入力を提示し、決済端末を通じて決済額と決済パスワードを受信する； 
ステップ２０８：決済サーバーは正しい決済パスワードの受信を確認した後、決済額に等しい資金を決済サーバーに決済端末に対応するリモート決済口座から受取サーバーに受取端末に対応するリモート受取口座に振り込む。
上記のリモート決済方法を使った後の有益効果が下記のとおりである：リモート決済端末から端末まで及びユーザーからユーザーまでの安全性を保証する。
【００１５】
上記の技術案を基礎として、リモート決済方法を下記のように改善できる。
ステップ２０１において、決済端末は起動後に、読み取り専用形式で保存されている決済端末システムソフトウェアと決済端末リモート支払いアプリソフトウェアを読み取って稼働し、ステップ２０３において受取端末は起動後に、読み取り専用形式で保存されている受取端末システムソフトウェアと受取端末リモート支払いアプリソフトウェアを読み取って稼働する。
【００１６】
上記の改善案による有益な効果は、決済端末と受取端末に対しコンピュータウイルスが危害を及ぼすことを防止することである。
【００１７】
また、ステップ２０２において、決済カードと決済端末は双方向認証を実行し、決済端末を通じて決済サーバーと双方向認証を実行し、
ステップ２０４において、受取カードと受取端末は双方向認証を実行し、受取端末を通じて受取サーバーと双方向認証を実行し、
ステップ２０６において、決済端末と受取端末は決済サーバーと受取サーバーが配分されたパスワードに基づいて双方向認証を実行する。
上記の更な案を使った後の有益効果は、リモート決済各部品の真実性を保証する。
【００１８】
また、ステップ２０７において、決済サーバーは決済端末を通じて、リモート支払確認情報を受信し、リモート支払確認情報には決済パスワード、ボタン確認操作に対応する双音多週波信号、決済端末のリモート支払確認情報、決済カードのリモート支払確認情報および／または生物的特徴が含れる。
【００１９】
上記の改善案による有益な効果は、リモート決済の秘密性を向上させることである。
【００２０】
また、各ステップにリモート決済口座、決済端末、決済カード、リモート支払確認情報は互いにバインディングされ、リモート受取口座、受取端末、受取カードは互いにバインディングされる。
【００２１】
上記の改善案による有益な効果は、リモート決済のコントロール性を向上させることである。
【００２２】
また、各ステップでは、電子支払い情報が生成されるとともに、それが二次元コードを通じて伝えられ、電子支払い情報は決済カード、受取カード、決済端末および／または受取端末のＩＤを含み、さらに、シリアルナンバー、デジタル証明書、決済額、領収書、ショッピングリストおよび／または消費ポイントを含まれ、シリアルナンバーは決済サーバー身分情報または受取サーバー身分情報を含み、リモート決済の起動に用いられる。
【００２３】
上記の改善案による有益な効果は、リモート決済の運用性を向上させることである。
【００２４】
上記の近距離決済サブシステムについて、本発明の技術案は、下記のステップを含む近距離決済方法を含む。
ステップ４０１：受取端末は起動後に、読み取り専用形式で保存されている受取端末システムソフトウェアと受取端末リモート支払いアプリソフトウェアを読み取って稼働する；
ステップ４０２：決済端末は起動後に、読み取り専用形式で保存されている決済端末システムソフトウェアと決済端末近距離支払いアプリソフトウェアを読み取って稼働する；
ステップ４０３：決済額Ｐを決済端末に入力する；
ステップ４０４：決済端末は決済カードへ近距離支払いを申請し、決済額Ｐを決済カードに送信する；
ステップ４０５：決済カードと決済端末は双方向認証を実行する；
ステップ４０６：決済カードは支払残額Ａ１と決済額Ｐにより、Ａ１＝Ａ１−Ｐを計算し、支払い明細Ｒ１と新たな支払い残額Ａ１を保存する；
ステップ４０７：決済カードは決済端末の近距離支払いを承認する；
ステップ４０８：決済端末と受取端末は双方向認証を実行する；
ステップ４０９：決済端末は受取端末との双方向認証が成功するかを判断し、成功する場合は、ステップ４１２に進み、失敗する場合、ステップ４１０に進む；
ステップ４１０：決済端末は決済カードに近距離支払いの失敗を通知する；
ステップ４１１：決済カードは支払残額Ａ１と決済額Ｐにより、Ａ１＝Ａ１＋Ｐを計算し、支払い明細Ｒ１と新たな支払い残額Ａ１を保存して、全てのフローを終了する；
ステップ４１２：決済端末は決済額Ｐを受取端末に送信する；
ステップ４１３：受取端末は決済額Ｐを確認し、確認を受信してから受取カードへ近距離支払いを申請し、決済額Ｐを受取カードに送信する；
ステップ４１４：受取カードと受取端末は双方向認証を実行する；
ステップ４１５：受取カードは受取残額Ａ２と決済額Ｐにより、Ａ２＝Ａ２＋Ｐを計算し、受取明細Ｒ２と新たな受取残額Ａ２を保存する；
ステップ４１６：受取カードは受取端末の近距離支払いを承認する；
ステップ４１７：決済端末は限度額をＰとする電子マネーを決済端末の近距離決済口座から受取端末の近距離の口座に振り込む；
ステップ４１８：決済端末は支払残額Ａ１’と決済額Ｐにより、Ａ１’＝Ａ１’−Ｐを計算し、支払い明細Ｒ１’と新たな支払い残額Ａ１’を保存する；受取端末は受取残額Ａ２’と決済額Ｐにより、Ａ２’＝Ａ２’＋Ｐを計算し、受取明細Ｒ２’と新たな受取残額Ａ２’を保存する。
【００２５】
上記の近距離決済方法による有益な効果は、近距離の決済端末から端末まで、また、ユーザーからユーザーまでの安全性を保証することである。
【００２６】
上記の技術案を基礎として、近距離決済方法を下記のように改善できる。
ステップ４０１において、受取端末は起動後に、読み取り専用形式で保存されている受取端末システムソフトウェアと受取端末リモート支払いアプリソフトウェアを読み取って稼働し、
ステップ４０２において、決済端末は起動後に、読み取り専用形式で保存されている決済端末システムソフトウェアと決済端末近距離支払いアプリソフトウェアを読み取って稼働する。
【００２７】
上記の改善案による有益な効果は、決済端末と受取端末に対するコンピュータウイルスの危害を防止することである。
【００２８】
また、ステップ４０５において、決済カードと決済端末は双方向認証を実行し、
ステップ４１４において、受取カードと受取端末は双方向認証を実行する。
【００２９】
上記の改善案による有益な効果は、近距離決済各部品の真実性を保証することである。
【００３０】
また、各ステップに近距離決済口座、決済端末と決済カードは互いにバインディングされ、近距離の受取口座、受取端末と受取カードは互いにバインディングされる。
【００３１】
上記の改善案による有益な効果は、近距離決済のコントロール性を向上させることである。
【００３２】
また、各ステップで電子支払い情報が生成されるとともに、それが二次元コードを通じて伝えられ、電子支払い情報は近距離支払い協議、デジタル証明書、決済額、領収書、ショッピングリストおよび／または消費ポイントを含む。
【００３３】
上記の改善案による有益な効果は、近距離決済の運用性を向上させることである。
【００３４】
また、決済カードに保存している支払い明細Ｒ１と支払残額Ａ１は、決済端末に保存している支払い明細Ｒ１’と支払残額Ａ１’と互いにバックアップデータであり、
受取カードに保存している受取明細Ｒ２と受取残額Ａ２は、受取端末に保存している受取明細Ｒ２’と受取残額Ａ２’と互いにバックアップデータとする。仮に決済カードと決済端末の一方が紛失または損壊した場合には、もう一方は支払い明細と支払残額により、紛失または損壊した一方の支払い明細と支払残額を証明する。仮に、受取カードと受取端末にある一方が紛失または損壊した場合には、もう一方は受取明細と受取残額により、紛失または損壊した一方の受取明細と受取残額を証明する。
【００３５】
上記の改善案による有益な効果は、電子マネーの使用可能性を向上させることである。
【００３６】
本発明のシステムと方法は、電子決済の端末から端末まで、及び、ユーザーからユーザーまでの安全性を向上させる。
【図面の簡単な説明】
【００３７】
図１Ａは本発明実施例一に説明した電子決済システムの構成図である。
図１Ｂは本発明実施例一に説明したリモート決済サブシステムの構成図である。
図１Ｃは本発明実施例一に説明した近距離決済サブシステムの構成図である。
図２は本発明実施例二に説明したリモート決済方法のフローチャートである。
図３Ａは本発明実施例三に説明したＰＯＳ端末リモート決済システムを使う構成図である。
図３Ｂは本発明実施例三に説明したＰＯＳ端末リモート決済方法を使うフローチャートである。
図４は本発明実施例四に説明した近距離決済方法のフローチャートである。
図５Ａは本発明実施例五に説明したＰＯＳ端末近距離決済システムを使う構成図である。
図５Ｂは本発明実施例五に説明したＰＯＳ端末を使う近距離決済方法のフローチャートである。
参照符号は下記のとおりである。
１１、リモート決済サブシステム、１２、近距離決済サブシステム、１０１、決済カード、１０２、決済端末、１０３、決済サーバー、１０４、受取カード、１０５、受取端末、１０６、受取サーバー。
【発明を実施するための形態】
【００３８】
以下図面を参照し本発明の原理と特徴に対して説明する。挙げられる例は本発明の解釈のみに用いられ、本発明の範囲を制限するものではない。
【００３９】
図１Ａに示すとおり、本発明の実施例一は電子支払システムの一つであり、それぞれ独自したリモート決済サブシステム１１と近距離決済サブシステム１２を含む。
【００４０】
図１Ｂに示すとおり、リモート決済サブシステム１１は決済カード１０１、決済端末１０２、決済サーバー１０３、受取カード１０４、受取端末１０５と受取サーバー１０６を含む。
【００４１】
決済カード１０１は、ＮＦＣを通じて決済端末１０２に接続し、決済端末１０２と双方向認証を実行し、決済端末１０２を通じて、決済サーバー１０３と双方向認証を実行する。
【００４２】
決済端末１０２は、ＮＦＣを通じて受取端末１０５と決済カード１０１に接続し、移動通信ネットを通じて決済サーバー１０３に接続し、読み取り専用形式で保存されている決済端末システムソフトウェアと決済端末リモート支払いアプリソフトウェアを読み取って稼働し、決済カード１０１及び決済サーバー１０３と双方向認証を実行し、受取端末１０５が配分されたパスワードに基づいて双方向認証を実行し、決済端末１０２に入力した決済額と決済パスワードを決済サーバー１０３に送信する。
【００４３】
決済サーバー１０３は、データ通信ネットを通じて受取サーバー１０６に接続し、移動通信ネットを通じて決済端末１０２に接続し、決済端末１０２と双方向認証を実行し、決済端末１０２を通じて決済カード１０１と双方向認証を実行する。決済サーバー１０３は、受取サーバー１０６と双方向認証とパスワード認証を実行し、認証で取得したパスワードを決済端末１０２に配分する。決済端末１０２を通じて決済額と決済パスワードを決済端末１０２に入力し、決済端末１０２を通じて払い額と決済パスワードを決済サーバー１０３が受信する。決済サーバー１０３は、決済額に等しい資金を、決済サーバー１０３内の決済端末１０２に対応するリモート決済口座から、受取サーバー１０６内の受取端末１０５に対応するリモート受取口座に振り込む。
【００４４】
受取カード１０４は、ＮＦＣを通じて受取端末１０５に接続し、受取端末１０５と双方向認証を実行し、受取端末１０５を通じて受取サーバー１０６と双方向認証を実行する。
【００４５】
受取端末１０５は、移動通信ネットを通じて受取サーバー１０６に接続し、ＮＦＣを通じて決済端末１０２と受取カード１０４に接続し、読み取り専用形式で保存されている受取端末システムソフトウェアと受取端末リモート支払いアプリソフトウェアを読み取って稼働する。受取端末１０５は、受取カード１０４及び受取サーバー１０６と双方向認証を実行し、決済端末１０２と配分されたパスワードに基づいて双方向認証を実行する。
【００４６】
受取サーバー１０６は、移動通信ネットを通じて受取端末１０５に接続し、データ通信ネットを通じて決済サーバー１０３に接続し、受取端末１０５と双方向認証を実行し、受取端末１０５を通じて受取カード１０４と双方向認証を実行する。受取サーバー１０６は、決済サーバー１０３と双方向認証とパスワード認証を実行し、認証で取得したパスワードを受取端末１０５に配分する。
【００４７】
図１Ｃに示すように、近距離決済サブシステム１２は、決済カード１０１、決済端末１０２、受取カード１０４、受取端末１０５を含む。
【００４８】
決済カード１０１は、ＮＦＣを通じて決済端末１０２に接続し、決済端末１０２と双方向認証を実行する。決済カード１０１は、支払残額Ａ１、及び、決済端末１０２が申請する決済額ＰによりＡ１＝Ａ１−Ｐを計算し、支払い明細Ｒ１と新たな支払い残額Ａ１を保存し、決済端末１０２の近距離決済を承認する。決済カード１０１は、決済端末１０２の近距離支払い失敗通知を受けた後には、Ａ１＝Ａ１＋Ｐを計算し、支払い明細Ｒ１と新たな支払い残額Ａ１を保存する。保存された支払い明細Ｒ１と支払残額Ａ１を、決済端末１０２に保存している支払い明細Ｒ１’と支払残額Ａ１’のバックアップデータとする。
【００４９】
決済端末１０２は、ＮＦＣを通じて決済カード１０１と受取端末１０５に接続し、読み取り専用形式で保存されている決済端末システムソフトウェアと決済端末近距離決済アプリソフトウェアを読み取って稼働する。入力された決済額Ｐを受信した後、決済カード１０１へ近距離決済を申請し、決済額Ｐを決済カードに送信する。決済端末１０２は、決済カード１０１が決済端末１０２の近距離決済を承認した後、受取端末１０５と双方向認証を実行し、当該双方向認証が成功する場合は、決済端末１０２は決済額Ｐを受取端末１０５に送信し、そうではない場合は、決済端末１０２は決済カード１０１近距離支払いの失敗を通知する。限度額をＰとする電子マネーを決済端末１０２の近距離決済口座から受取端末１０５の近距離の受取口座に振り込む。支払残額Ａ１’と決済額Ｐにより、Ａ１’＝Ａ１’−Ｐを計算し、支払い明細Ｒ１’と新たな支払い残額Ａ１’を保存する。決済端末１０２は、保存している支払い明細Ｒ１’と支払残額Ａ１’を決済カード１０１に保存している支払い明細Ｒ１と支払残額Ａ１のバックアップデータとする。
【００５０】
受取カード１０４は、ＮＦＣを通じて受取端末１０５に接続し、受取端末１０５が送信した近距離決済の受取申請と決済額Ｐを受信した後、受取端末１０５と双方向認証を実行する。受取カード１０４は、受取残額Ａ２と決済額ＰによりＡ２＝Ａ２＋Ｐを計算し、受取明細Ｒ２と新たな受取残額Ａ２を保存し、受取端末１０５近距離の決済を承認する。受取カード１０４は、保存している受取明細Ｒ２と受取残額Ａ２を受取端末１０５に保存している受取明細Ｒ２’と受取残額Ａ２’のバックアップデータとする。
【００５１】
受取端末１０５は、ＮＦＣを通じて受取カード１０４と決済端末１０２に接続し、読み取り専用形式で保存されている受取端末システムソフトウェアと受取端末近距離決済アプリソフトウェアを読み取って稼働する。受取端末１０５は、決済端末１０２が送信した決済額Ｐを受信した後、決済額Ｐを確認し、確認を受信した後、受取カード１０４へ近距離決済を申請し、決済額Ｐを受取カードに１０４送信する。受取端末１０５は、受取残額Ａ２’と決済額Ｐにより、Ａ２’＝Ａ２’＋Ｐを計算し、受取明細Ｒ２’と新たな受取残額Ａ２’を保存する。受取端末１０５は、保存している受取明細Ｒ２’と受取残額Ａ２’を、受取カード１０４に保存している受取明細Ｒ２と受取残額Ａ２のバックアップデータとする。
【００５２】
図２に示すように、本発明の実施例二は、リモート決済方法を提供するものであり、当該方法を使用する前に、支払側は決済サーバーへ口座作成を申請し、決済サーバーは認証情報を決済端末に書き込み、決済サーバーは決済端末と双方向認証を実行させる。決済サーバーは、認証情報を決済カードに書き込み、決済サーバーは決済カードと双方向認証を実行させる。決済サーバーは認証情報を決済端末と決済カードに書き込み、決済端末と決済カードを双方向認証を実行させる。決済サーバーは支払側にリモート決済口座を作り、支払側がリモート決済口座に対する決済パスワードを保存する。決済サーバーはリモート決済口座、決済パスワード、決済端末、決済カードをバインディングする。
【００５３】
受取側は受取サーバーへ口座作成を申請し、受取サーバーは認証情報を受取端末に書き込み、受取サーバーは受取端末と双方向認証を実行させる。受取サーバーは認証情報を受取カードに書き込み、受取サーバーは受取カードと双方向認証を実行させる。受取サーバーは認証情報を受取端末と受取カードに書き込み、受取端末は受取カードと双方向認証を実行させる。受取サーバーは受取側にリモート受取口座を作り、リモート受取口座、受取端末と受取カードをバインディングする。
【００５４】
以上に説明した方法では下記のステップを含む。
ステップ２０１：決済端末は起動後に、読み取り専用形式で保存されている決済端末システムソフトウェアと決済端末リモート支払いアプリソフトウェアを読み取って稼働する；
ステップ２０２：決済端末は決済カード及び決済サーバーと双方向認証を実行し、決済サーバーは決済端末を通じて、決済カードと双方向認証を実行する；
ステップ２０３：受取端末は起動後に、読み取り専用形式で保存されている受取端末システムソフトウェアと受取端末リモート支払いアプリソフトウェアを読み取って稼働する；
ステップ２０４：受取端末は受取カード及び受取サーバーと双方向認証を実行し、受取サーバーは受取端末与を通じて、受取カードと双方向認証を実行する；
ステップ２０５：決済端末および／または決済カードが受取端末に読み取られ、受取端末は決済端末および／または決済カードの決済ＩＤを読み込み、決済ＩＤを受取サーバーに送信し、受取サーバーは決済ＩＤを決済サーバーに送信する；
ステップ２０６：決済サーバーと受取サーバーは双方向認証とパスワード認証を実行し、決済サーバーは認証で取得したパスワードを決済端末に配分し、受取サーバーは認証で取得したパスワードを受取端末に配分し、決済端末と受取端末配分されたパスワードに基づいて双方向認証を実行する；
ステップ２０７：決済サーバーは決済端末を通じて、決済額と決済パスワードの決済端末への入力を提示し、決済端末を通じて決済額と決済パスワードを受信する；
ステップ２０８：決済サーバーは正しい決済パスワードの受信を確認した後、決済額に等しい資金を決済サーバーに決済端末に対応するリモート決済口座から受取サーバーに受取端末に対応するリモート受取口座に振り込む。
【００５５】
本発明の実施例三は、ＰＯＳ端末を使うリモート決済システムと方法を提供する。
図３Ａに示すように、このシステムは決済カード、決済端末、決済サーバー、受取サーバー、ＰＯＳ端末を含む。決済カードは、ＮＦＣを通じて決済端末とＰＯＳ端末に接続する。決済端末は、ＮＦＣを通じてＰＯＳ端末に接続し、移動通信ネットを通じて決済サーバーに接続する。決済サーバーはデータ通信ネットを通じて受取サーバーに接続する。ＰＯＳ端末はデータ通信ネットを通じて受取サーバーに接続する。
【００５６】
上記の方法が使用される前に、支払側は決済サーバーへ口座作成を申請し、決済サーバーは認証情報を決済端末に書き込み、決済サーバーは決済端末と双方向認証を実行する。決済サーバーは、認証情報を決済カードに書き込み、決済サーバーは決済カードと双方向認証を実行する。決済サーバーは認証情報を決済端末と決済カードに書き込み、決済端末と決済カードの双方向認証を実行させる。決済サーバーは支払側にリモート決済口座を作り、支払側がリモート決済口座に対する決済パスワードを保存する。決済サーバーはリモート決済口座、決済パスワード、決済端末、決済カードをバインディングする。受取側は受取サーバーへ口座作成を申請し、受取サーバーは認証情報をＰＯＳ端末に書き込み、受取サーバーをＰＯＳ端末と双方向認証を実行させる。受取サーバーは受取側にリモート受取口座を作り、リモート受取口座とＰＯＳ端末をバインディングする。
【００５７】
図３Ｂに示すように、以上に説明した方法は下記のステップを含む。
ステップ３０１：決済端末は起動後に、読み取り専用形式で保存されている決済端末システムソフトウェアと決済端末リモート支払いアプリソフトウェアを読み取って稼働する；
ステップ３０２：決済端末は決済カード及び決済サーバーと双方向認証を実行し、決済サーバーは決済端末を通じて、決済カードと双方向認証を実行する；
ステップ３０３：決済端末および／または決済カードはＰＯＳ端末に読み取られ、ＰＯＳ端末は、決済端末および／または決済カードの決済ＩＤを読み込んで決済ＩＤを受取サーバーに送信し、受取サーバーは決済ＩＤを決済サーバーに送信する；
ステップ３０４：受取サーバーはＰＯＳ端末と双方向認証を実行し、決済サーバーと受取サーバーは双方向認証とパスワード認証を実行し、決済サーバーは認証で取得したパスワードを決済端末に配分し、受取サーバーは認証で取得したパスワードをＰＯＳ端末に配分し、決済端末とＰＯＳ端末配分されたパスワードに基づいて双方向認証を実行する；
ステップ３０５：決済サーバーは決済端末を通じて、決済額と決済パスワードの決済端末への入力を提示し、決済端末を通じて決済額と決済パスワードを受信する；
ステップ３０６：決済サーバーは正しい決済パスワードの受信を確認した後、決済額に等しい資金を、決済サーバー内の決済端末に対応するリモート決済口座から、受取サーバー内のＰＯＳ端末に対応するリモート受取口座に振り込む。
【００５８】
図４に示すように、本発明の実施例四は、近距離決済方法を提供するものである。説明される方法が使用される前に、支払側は決済機構へ口座作成を申請し、決済機構は認証情報を決済端末と決済カードに書き込み、決済端末と決済カードの双方向認証を実行させる。決済機構は支払側に対し近距離決済口座を開設し、近距離決済口座、決済端末、決済カードをバインディングする。
【００５９】
支払側はリチャージし、支払側は近距離決済口座の支払残額Ａ１を決済カードに書き込み、決済機構は近距離決済口座の支払残額Ａ１’を決済端末に書き込み、Ａ１’＝Ａ１である。受取側は決済機構へ口座作成を申請し、決済機構は認証情報を受取端末と受取カードに書き込み、受取端末と受取カードの双方向認証を実行させる。決済機構は受取側に近距離の受取口座を作り、近距離の受取口座、受取端末、受取カードをバインディングする。決済機構は近距離の受取口座の受取残額Ａ２を受取カードに書き込み、決済機構は近距離の受取口座の受取残額Ａ２’を受取端末に書き込み、Ａ２’＝Ａ２である。
【００６０】
以上に説明した方法は下記のステップを含む。
ステップ４０１：受取端末は起動後に、読み取り専用形式で保存されている受取端末システムソフトウェアと受取端末リモート支払いアプリソフトウェアを読み取って稼働する；
ステップ４０２：決済端末は起動後に、読み取り専用形式で保存されている決済端末システムソフトウェアと決済端末近距離支払いアプリソフトウェアを読み取って稼働する；
ステップ４０３：決済額Ｐを決済端末に入力する；
ステップ４０４：決済端末は決済カードへ近距離支払いを申請し、決済額Ｐを決済カードに送信する；
ステップ４０５：決済カードと決済端末は双方向認証を実行する；
ステップ４０６：決済カードは支払残額Ａ１と決済額Ｐにより、Ａ１＝Ａ１−Ｐを計算し、支払い明細Ｒ１と新たな支払い残額Ａ１を保存する；
ステップ４０７：決済カードは決済端末の近距離支払いを承認する；
ステップ４０８：決済端末と受取端末は双方向認証を実行する；
ステップ４０９：決済端末は受取端末との双方向認証が成功するかを判断し、成功する場合は、ステップ４１２に進み、失敗する場合には、ステップ４１０に進む；
ステップ４１０：決済端末は決済カードに近距離支払いの失敗を通知する；
ステップ４１１：決済カードは支払残額Ａ１と決済額Ｐにより、Ａ１＝Ａ１＋Ｐを計算し、支払い明細Ｒ１と新たな支払い残額Ａ１を保存して、全てのフローを終了する；
ステップ４１２：決済端末は決済額Ｐを受取端末に送信する；
ステップ４１３：受取端末は決済額Ｐを確認し、確認を受信してから受取カードへ近距離支払いを申請し、決済額Ｐを受取カードに送信する；
ステップ４１４：受取カードと受取端末は双方向認証を実行する；
ステップ４１５：受取カードは受取残額Ａ２と決済額Ｐにより、Ａ２＝Ａ２＋Ｐを計算し、受取明細Ｒ２と新たな受取残額Ａ２を保存する；
ステップ４１６：受取カードは受取端末の近距離支払いを承認する；
ステップ４１７：決済端末は限度額をＰとする電子マネーを決済端末の近距離決済口座から受取端末の近距離の口座に振り込む；
ステップ４１８：決済端末は支払残額Ａ１’と決済額Ｐにより、Ａ１’＝Ａ１’−Ｐを計算し、支払い明細Ｒ１’と新たな支払い残額Ａ１’を保存する。受取端末は受取残額Ａ２’と決済額Ｐにより、Ａ２’＝Ａ２’＋Ｐを計算し、受取明細Ｒ２’と新たな受取残額Ａ２’を保存する。
【００６１】
これ以外に、決済カードに保存している支払い明細Ｒ１と支払残額Ａ１は決済端末に保存している支払い明細Ｒ１’と支払残額Ａ１’は互いにバックアップデータとされる。受取カードに保存している受取明細Ｒ２と受取残額Ａ２は、受取端末に保存している受取明細Ｒ２’と受取残額Ａ２’と互いにバックアップデータとされる。決済カードと決済端末の一方が紛失または損壊した場合には、もう一方は支払い明細と支払残額により、紛失または損壊した一方の支払い明細と支払残額を証明する。受取カードと受取端末の一方が紛失または損壊した場合には、もう一方は受取明細と受取残額により、紛失または損壊した一方の受取明細と受取残額を証明する。
【００６２】
本発明の実施例五は、ＰＯＳ端末を使う近距離決済システムと方法を提供するものである。
図５Ａに示すように、当該システムは決済カード、決済端末、ＰＯＳ端末を含み、決済カードはＮＦＣを通じて決済端末に接続する。決済端末はＮＦＣを通じてＰＯＳ端末に接続する。説明した方法を使う前に、支払側は決済機構へ口座作成を申請し、決済機構は認証情報を決済端末と決済カードに書き込み、決済端末と決済カードの双方向認証を実行させる。決済機構は、支払側に近距離決済口座を開設し、近距離決済口座、決済端末、決済カードをバインディングする。支払側はリチャージし、支払側は近距離決済口座の支払残額Ａ１を決済カードに書き込み、決済機構は近距離決済口座の支払残額Ａ１’を決済端末に書き込み、Ａ１’＝Ａ１である。決済機構はＰＯＳ端末に近距離の受取口座を作り、近距離の受取口座の受取残額Ａ２’をＰＯＳ端末に書き込む。
【００６３】
図５Ｂに示すように、以上に説明した方法は下記のステップを含む。
ステップ５０１：決済端末は起動後に、読み取り専用形式で保存されている決済端末システムソフトウェアと決済端末近距離支払いアプリソフトウェアを読み取って稼働する；
ステップ５０２：決済額Ｐを決済端末に入力する；
ステップ５０３：決済端末は決済カードへ近距離支払いを申請し、決済額Ｐを決済カードに送信する；
ステップ５０４：決済カードと決済端末は双方向認証を実行する；
ステップ５０５：決済カードは支払残額Ａ１と決済額Ｐにより、Ａ１＝Ａ１−Ｐを計算し、支払い明細Ｒ１と新たな支払い残額Ａ１を保存する；
ステップ５０６：決済カードは決済端末の近距離支払いを承認する；
ステップ５０７：決済端末とＰＯＳ端末は双方向認証を実行する；
ステップ５０８：決済端末はＰＯＳ端末との双方向認証が成功するかを判断し、成功する場合は、ステップ５１１に進み、そうではない場合は、ステップ５０９に進む；
ステップ５０９：決済端末は決済カードに近距離支払いの失敗を通知する；
ステップ５１０：決済カードは支払残額Ａ１と決済額Ｐにより、Ａ１＝Ａ１＋Ｐを計算し、支払い明細Ｒ１と新たな支払い残額Ａ１を保存して、全てのフローを終了する；
ステップ５１１：決済端末は限度額をＰとする電子マネーを決済端末の近距離決済口座からＰＯＳ端末の近距離の受取口座に振り込む；
ステップ５１２：決済端末は支払残額Ａ１’と決済額Ｐにより、Ａ１’＝Ａ１’−Ｐを計算し、支払い明細Ｒ１’と新たな支払い残額Ａ１’を保存するとともに、ＰＯＳ端末は受取残額Ａ２’と決済額Ｐにより、Ａ２’＝Ａ２’＋Ｐを計算し、受取明細Ｒ２’と新たな受取残額Ａ２’を保存する。
【００６４】
上記以外に、決済カードに保存している支払い明細Ｒ１と支払残額Ａ１は、決済端末に保存している支払い明細Ｒ１’と支払残額Ａ１’と互いにバックアップデータとする。決済カードと決済端末の一方が紛失または損壊した場合には、もう一方は支払い明細と支払残額により、紛失または損壊した一方の支払い明細と支払残額を証明する。
【００６５】
本発明の実施例六は、本発明の実施例三の簡素化案を提供するものであり、決済端末として携帯電話を使うものであり、下記のステップを含む。
ステップ６０１：携帯電話は起動後に、出荷時のＦｌａｓｈ  ＲＯＭに読み取り専用の形式で保存している携帯電話システムソフトウェア、及び、ＳＩＭカードに読み取り専用の形式で保存している携帯電話リモート決済アプリソフトウェアを読み取り・稼働する；
ステップ６０２：決済カードは、ＰＯＳ端末に読み取られ、ＰＯＳ端末は決済カードのカードナンバーＩＤ１を読み込んで、ＩＤ１と決済額を受取サーバーに送信し、受取サーバーはＩＤ１と決済額を決済サーバーに送信する；
ステップ６０３：決済サーバーは携帯電話と言語／データ通信を確立し、携帯電話とカードナンバーがＩＤ１である決済カードとバインディングする。決済サーバーは携帯電話を通じて、言語／データ方式で決済額を表示し、携帯電話キーボードのキー「１」を押すまたは決済パスワードを携帯電話に入力する、又は、携帯電話リモート決済ソフトウェアの「決済確認」ボタンを押し、決済カードを携帯電話に読み取らせる、又は、生物的特徴を携帯電話に入力し、今回のリモート決済を確認する；
ステップ６０４：表示される決済額に間違いがないことを確認した後、キー「１」を押すまたは決済パスワードを入力する、又は、携帯電話リモート決済ソフトウェアの「決済確認」ボタンを押し、決済カードを携帯電話に読取らせる、又は、生物的特徴を入力し、携帯電話はリモート支払確認情報を決済サーバーに送信する。リモート支払確認情報は、キー「１」または決済パスワードに対応する双音多週波信号／「決済確認」ボタンに対応する携帯電話のリモート支払確認情報、決済カードのリモート支払確認情報または生物的特徴を含む；
ステップ６０５：決済サーバーは受信したリモート支払確認情報に間違いがないことを確認した後、決済額に等しい資金決済サーバーの携帯電話に対応するリモート決済口座から受取サーバーのＰＯＳ端末に対応するリモート受取口座に振り込み、リモート決済口座、携帯電話、決済カード、リモート支払確認情報は互いにバインディングされ、リモート受取口座とＰＯＳ端末は互いにバインディングされる。
【００６６】
実施例六においては、携帯電話を起動後に、読み取り専用ソフトウェアを使用し、コンピュータウイルスの危害を防止する。決済サーバーは携帯電話を通じて、リモート支払確認情報を受信し、リモート決済の秘密性を向上させる。リモート決済口座、携帯電話、決済カード、リモート支払確認情報は互いにバインディングされ、リモート受取口座とＰＯＳ端末は互いにバインディングされ、リモート決済のコントロール性を向上させる。
【００６７】
本発明の実施例七は、本発明の実施例三の簡素化案を提供するものである。決済端末として携帯電話を使うものであり、下記のステップを含む。
ステップ７０１：携帯電話は起動後に、出荷時のＦｌａｓｈ  ＲＯＭに読み取り専用の形式で保存している携帯電話システムソフトウェア、及び、ＳＩＭカードに読み取り専用の形式で保存している携帯電話リモート決済アプリソフトウェアを読み取り・稼働し、決済サーバーと暗号化移動通信を構築する；
ステップ７０２：ＰＯＳ端末は受取サーバーにシリアルナンバー１を請求し、シリアルナンバー１と決済額にて生成される二次元コードＣ１を表示し、携帯電話はＣ１を読み込んで、Ｃ１を決済サーバーに送信し、決済サーバーはＣ１内にあるシリアルナンバー１と決済額を読み込む。シリアルナンバー１は受取サーバー身分情報を含む。
或いは、携帯電話は決済サーバーにシリアルナンバー２を請求し、それから生成される二次元コードＣ２を表示し、ＰＯＳ端末はＣ２を読み込んで、Ｃ２からシリアルナンバー２を読み込んで、シリアルナンバー２と決済額を受取サーバーに送信し、受取サーバーはシリアルナンバー２と決済額を決済サーバーに送信する。シリアルナンバー２は決済サーバー身分情報を含む。
或いは、携帯電話は決済カードのカードナンバーＩＤ１または携帯電話リモート決済デジタル証明書ＤＣ１を二次元コードＣ３表示を生成させ、ＰＯＳ端末はＣ３を読み込んで、Ｃ３からＩＤ１またはＤＣ１を読み込んで、ＩＤ１またはＤＣ１及び決済額を受取サーバーに送信し、受取サーバーはＩＤ１またはＤＣ１および決済額を決済サーバーに送信する。ＩＤ１またはＤＣ１は決済サーバー身分情報を含み、ＩＤ１またはＤＣ１は携帯電話とバインディングし、決済サーバーを受取サーバーが送信するＩＤ１またはＤＣ１により、対応する電話を確定させる；
ステップ７０３：決済サーバーは携帯電話を通じて決済額を提示し、決済パスワードの入力を提示し、今回のリモート決済を確認する；
ステップ７０４：提示した決済額に間違いがないことを確認した後、決済パスワードを携帯電話に入力し、携帯電話は決済パスワードを決済サーバーに送信する；
ステップ７０５：決済サーバーは正しい決済パスワードの受信を確認した後、決済額に等しい資金を決済サーバーの携帯電話に対応するリモート決済口座から受取サーバーのＰＯＳ端末に対応するリモート受取口座に振り込む。リモート決済口座、携帯電話と決済パスワードは互いにバインディングされ、リモート受取口座とＰＯＳ端末は互いにバインディングされる；
ステップ７０６：ＰＯＳ端末は領収書、ショッピングリスト及び消費ポイントにて二次元コードＣ４を生成して表示し、携帯電話はＣ４を読み込んで、Ｃ４内にある領収書、ショッピングリスト及び消費ポイントを読み取り・保存する。
【００６８】
実施例七においては、二次元コードでシリアルナンバー、決済カードのＩＤまたはデジタル証明書が伝えられ、決済カードはＩＣカードまたは磁気カードを使用でき、リモート決済の運用性を向上させることができる。携帯電話は、暗号化された移動通信を通じて決済パスワードを決済サーバーに送信することで、リモート決済の秘密性を更に向上させることができる。
【００６９】
本発明の実施例八は、本発明の実施例五の簡素化案を提供するものである。決済端末として携帯電話を使うものであり、電子現金を携帯電話ＳＩＭカードに保存するものであり、下記のステップを含む。
ステップ８０１：携帯電話は起動後に、出荷時のＦｌａｓｈ  ＲＯＭに読み取り専用の形式で保存している携帯電話システムソフトウェア、及び、ＳＩＭカードに読み取り専用の形式で保存している携帯電話近距離決済アプリソフトウェアを読み取り・稼働する；
ステップ８０２：ＰＯＳ端末は、ＰＯＳ端末の身分認証情報と決済額にて生成される二次元コードＣ１を表示し、携帯電話はＣ１を読み込み、Ｃ１内にあるＰＯＳ端末の身分認証情報を読み取り・検証し、Ｃ１内にある決済額を読み取り、決済額を確認するよう提示する；
ステップ８０３：決済額を携帯電話に入力し、携帯電話はＳＩＭカードから決済額に等しい電子現金を減額し、携帯電話の身分認証情報と減額情報にて二次元コードＣ２を生成して表示し、ＰＯＳ端末はＣ２を読み込み、Ｃ２内にある携帯電話の身分証明書の情報と減額情報を読み取り・検証し、決済額に等しい電子現金を増やす；
ステップ８０４：ＰＯＳ端末は領収書、ショッピングリスト及び消費ポイントから二次元コードＣ３を生成して表示し、携帯電話はＣ３を読み取り、Ｃ３内にある領収書、ショッピングリスト及び消費ポイントを読み取り・保存する。
【００７０】
実施例八においては、二次元コードで近距離決済の協議が伝えられるので、近距離決済の運用性を向上させることができる。
【００７１】
上記の説明は本発明の好適な実施例であり、本発明を制限するものではなく、本発明の精神と原則内におけるいかなる修正、同等な置換、改善などは、本発明の保護範囲内に含まれるべきである。
【図１Ａ】
2016527632.tif 000003
【図１Ｂ】
2016527632.tif 000004
【図１Ｃ】
2016527632.tif 000005
【図２】
2016527632.tif 000006
【図３Ａ】
2016527632.tif 000007
【図３Ｂ】
2016527632.tif 000008
【図４】
2016527632.tif 000009
【図５Ａ】
2016527632.tif 000010
【図５Ｂ】
2016527632.tif 000011
【国際調査報告】
2016527632.tif 000012
2016527632.tif 000013
2016527632.tif 000014
2016527632.tif 000015